【事件の表示】
　特許第２９２７０２７号「画像処理装置」の請求項１ないし４に係る特許に対する特許異議の申立てについて、次のとおり決定する。
【結　論】
　訂正を認める。
　特許第２９２７０２７号の請求項１ないし４に係る特許を維持する。
【理　由】
１．手続の経緯
　本件特許第２９２７０２７号発明は、平成３年１月１８日に特許出願され、平成１１年５月１４日にその特許の設定登録がなされ、その後、武田政子及びコニカ株式会社よりそれぞれ特許異議の申立がなされ、取消理由通知がなされ、その指定期間内である平成１２年８月２４日に訂正請求がなされたものである。
　
２．訂正の適否についての判断
ア．訂正事項
訂正事項ａ
　特許請求の範囲の請求項１の記載
「通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、を備えたことを特徴とする画像処理装置。」を
「通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能で、かつ、割り込みモードの内容設定が可能となったときは前記割り込みモード予約中表示とは異なる表示をする表示手段と、を備えたことを特徴とする画像処理装置。」
と訂正する。
訂正事項ｂ
　特許請求の範囲の請求項３の記載
「請求項１記載の画像処理装置にさらに、割り込みモード動作中に、その割り込みジョブを解除できる割り込みモード解除設定手段と、割り込みジョブ中に割り込みモード解除設定手段の入力があったときにジョブモード判断手段が割り込みジョブ動作中であると判断したときは前記割り込みジョブ中とは異なる表示形態の割り込み解除予約中であることを表示する表示手段と、を追加して備えたことを特徴とする画像処理装置。」を
「通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、を備えた画像処理装置に、さらに、割り込みモード動作中に、その割り込みジョブを解除できる割り込みモード解除設定手段と、割り込みジョブ中に割り込みモード解除設定手段の入力があったときにジョブモード判断手段が割り込みジョブ動作中であると判断したときは前記割り込みジョブ中とは異なる表示形態の割り込み解除予約中であることを表示する表示手段と、を追加して備えたことを特徴とする画像処理装置。」と訂正する。
訂正事項ｃ
　特許明細書の段落【０００５】の記載を、
「【０００５】
【課題を解決するための手段】
　本発明の上記目的は次の構成により達成される。すなわち、通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能で、かつ、割り込みモードの内容設定が可能となったときは前記割り込みモード予約中表示とは異なる表示をする表示手段とを備えた画像処理装置、または、通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、を備えた画像処理装置に、さらに、割り込みモード動作中に、その割り込みジョブを解除できる割り込みモード解除設定手段と、割り込みジョブ中に割り込みモード解除設定手段の入力があったときに前記ジョブモード判断手段が割り込みジョブ動作中であると判断したときは前記割り込みジョブ中とは異なる表示形態の割り込み解除予約中であることを表示する表示手段と、を追加して備えた画像処理装置である。」と訂正する。
訂正事項ｄ
　特許明細書の段落【００２４】の記載を、
「【００２４】
図８と図９はＵＩ制御回路基板５０の回路構成が示されている。ＣＰＵ５６は、後述のＵＩリモートサブシステムを構成するソフトウェアの各モジュールを起動することにより、コンソールパネル４のスイッチ情報をパラレルＩ／Ｏ５４を介してデータバスに取り込み、このスイッチ情報を認識して得られたジョブに関する設定モード情報をシリアルチャンネル０（ＡＳＣ１０）を介してシリアル送受信用ＬＳＩにより構成されたドライバー／レシーバー（DRIVER/RECEIVER）６３に送り、ここからＭＡＩＮ系４０に送信する。一方、ＭＡＩＮ系４０からＣＰＵ５６にはトレイ制御情報やベースマシン１の状態を示す情報が、ドライバー／レシーバー６３を通して送られてくる。ドライバー／レシーバー６３はパラレルＩ／Ｏ５４から出されるイネーブル信号により送信ラインをオープン（ハイインピーダンス）またはクローズしてデータの送受信を行う。」と訂正する。
訂正事項ｅ
　特許明細書の段落【００２５】の記載を、
「【００２５】
訂正事項ｆ
　特許明細書の段落【００２８】の記載を、
「【００２８】
　次にＵＩ系３９のソフトウェア構成について説明する。図１０はＵＩサブシステムのモジュール構成が示されている。ＵＩ系３９のソフトウェア構成は、ＵＩ系３９のすべてのプログラムを管理するメインモジュール（ＲＴＭＯ）７６、このＲＴＭＯ７６に呼び出され、本システムが使用されている間、走行するプログラムから成るモジュール（ＭＥＳＧ７７、ＣＮＳＬ７８など）および要求により起動されるプログラムから成るモジュール（ＰＲＮＴ７９、ＳＴＢＹ８０など）、前記要求により起動されるモジュールによって呼び出されて起動するモジュール（ＬＣＤ８１、ＦＬＴ８２など）によるツリー構造を成しており、更にメインＣＰＵ（ＬＬＭ）（図６）との通信制御を行うためのモジュール（ＳＥＲＬ）８３、共通の処理および汎用性のある処理を行うモジュール（ＳＵＢＲ８５、ＬＣＤＬＩＢ８６）を有し、これらのモジュールの有機的な結合によってＵＩ系３９の機能が実現されるように構成されている。」と訂正する。
　
イ．訂正の目的の適否及び拡張・変更の存否
　訂正事項ａは、願書に添付された明細書（以下、「特許明細書」という。）の特許請求の範囲の請求項１の記載中、「ジョブが停止中であって、割り込みモードが動作可能となったときは前記割り込みモード予約中表示とは異なる表示をする表示手段」の記載を、「ジョブが停止中であって、割り込みモードが動作可能で、かつ、割り込みモードの内容設定が可能となったときは前記割り込みモード予約中表示とは異なる表示をする表示手段」と訂正するものであって、「割り込みモード予約中表示とは異なる表示をする」ときの条件「ジョブが停止中であって、割り込みモードが動作可能となったとき」に、さらに、「割り込みモードの内容設定が可能になったとき」という条件を附加するものであるから、特許法第１２０条の４第２項但し書き第１号に規定する特許請求の範囲の減縮を目的とするものである。
　また、前記訂正事項ａは、特許明細書の段落【０００３】、【００４６】、及び【００５１】の記載をその根拠とするものであって、特許明細書の記載事項の範囲内の訂正であり、実質上特許請求の範囲を拡張しまたは変更するものではない。
　
　訂正事項ｂは、請求項１の訂正に伴って、請求項１の従属項形式であった記載形式を独立形式に改め、かつ、「画像処理装置に」と「さらに」との間に句読点「、」を入れることで、より明りょう化したものであるから、特許法第１２０条の４第２項但し書き第３号に規定する明りょうでない記載の釈明に相当するものである。
　また、特許明細書の記載事項の範囲内の訂正であり、実質上特許請求の範囲を拡張しまたは変更するものではない。
　
　訂正事項ｃは、訂正された特許請求の範囲の記載に整合するように、明細書の記載を訂正するものであり、特許法第１２０条の４第２項但し書き第３号に規定する明りょうでない記載の釈明に相当するものである。
　また、特許明細書の記載事項の範囲内の訂正であり、実質上特許請求の範囲を拡張しまたは変更するものではない。
　
　訂正事項ｄ、ｅ、ｆについて、
訂正事項ｄは、段落【００２４】の記載中「（ＡＳＣ１０））を」の記載を、「（ＡＳＣ１０）を」と訂正するものであって、
訂正事項ｅは、段落【００２５】の記載中「リセツトをかける」の記載を、「リセットをかける」と訂正するものであって、
訂正事項ｆは、段落【００２８】の記載中「すべての全てのプログラム」の記載を「すべてのプログラム」と訂正するものであって、
いずれも、明らかな誤記の訂正を目的とするものである。
　そして、訂正事項ｄ、ｅ、ｆは、いずれも特許明細書の記載事項の範囲内の訂正であり、実質上特許請求の範囲を拡張しまたは変更するものではない。
　
ウ．むすび
　以上のとおりであるから、上記訂正請求は、特許法第１２０条の４第２項及び同条第３項で準用する第１２６条第２ないし３項の規定に適合するので、当該訂正を認める。
　
３．特許異議の申立についての判断
（Ａ）本件発明
　本件請求項１ないし４に係る特許発明は、訂正明細書の特許請求の範囲の請求項１ないし４に記載された以下のとおりのものである。
【請求項１】
Ａ　通常のジョブモード設定手段と、
Ｂ　前記通常のジョブモードの動作中に割り込んで別のジョブモードを設定できる割り込みモード設定手段と、
Ｃ　前記設定手段で設定された各モードの記憶手段と、
Ｄ　ジョブが停止中か通常のジョブモード動作中か割り込みモード動作中かを判断するジョブモード判断手段と、
Ｅ　前記割り込みモード設定手段の入力があったときに前記ジョブモード判断手段が通常のジョブモードの動作中であると判断したときは割り込みモードの予約中であることを表示し、
Ｆ　ジョブが停止中であって、割り込みモードが動作可能で、かつ、割り込みモードの内容設定が可能となったときは前記割り込みモード予約中表示とは異なる表示をする表示手段と、
Ｇ　を備えた画像処理装置
【請求項２】
Ｈ　前記表示手段は通常のジョブモードの動作中には消灯表示し、
Ｉ　割り込みモード予約中には表示ランプを点滅表示し、
Ｊ　割り込みモード実行中には点灯表示することを特徴とする請求項１記載の画像処理装置。
【請求項３】（前記訂正事項ｂ参照）
【請求項４】
　前記表示手段は通常のジョブモード動作中には消灯表示し、割り込みモード予約中には表示ランプを点滅表示し、割り込みモード実行中には点灯表示し、割り込みモード解除予約中には点滅表示することを特徴とする請求項３記載の画像処理装置。
（但し、符号ＡないしＪは当審で付記した。）　
　
（Ｂ）申立の理由の概要
ア．申立人武田政子は、
本件特許発明に対して、証拠として甲第１号証（特開昭６３−２７９２６９号公報）、及び甲第２号証（特開昭５７−４４１５９号公報）を提出し、本件請求項１ないし４に係る特許は特許法第２９条第２項の規定に違反してなされたものであるから、特許を取り消されるべき旨主張している。
イ．申立人コニカ株式会社は、
本件特許発明に対して、証拠として甲第１号証（特開平２−２３５０７６号公報）、及び甲第２号証（特開昭６４−２１５２８号公報）を提出し、本件請求項１ないし２に係る特許は特許法第２９条第２項の規定に違反してなされたものであるから、特許を取り消されるべき旨主張している。
　
（Ｃ）取消理由通知の概要
　前記異議申し立てに対して、当審では概略次のとおりの取消理由を通知した。
刊行物１：特開平２−２３５０７６号公報
（申立人コニカ株式会社の提出した甲第１号証）
刊行物２：特開昭６２−１０９０７２号公報
刊行物３：特開昭６１−５２６２号公報
刊行物４：特開昭６４−２１５２８号公報
（申立人コニカ株式会社の提出した甲第２号証）
を提示し、本件請求項１ないし２に係る特許発明は前記刊行物１ないし４に記載の発明から当業者が容易に発明できたものであり、特許法第２９条第２項に違反してなされたものであるから、特許法第１１３条第２号の規定により取り消されるべきものである。
　
（Ｄ）引用刊行物の記載事項
刊行物１：特開平２−２３５０７６号公報（コニカ株式会社の提出した甲第１号証）には、
「第３図に、第２図の複写機の本体上面に配置された操作ボードを示す。第３図を参照すると、この操作ボードには、多数のキースイッチ……と、多数の表示器……等々が備わっている。操作ボードに備わった代表的な各種キースイッチについて簡単に説明する。…（中略）…。ＫＩは、予約モードと割込みモードの指定に利用されるキースイッチであり、その時の装置の状態とキー操作の時間に応じて機能が切換わる。これについては後で詳細に説明する。操作ボードに備わった代表的な表示器について簡単に説明する。…（中略）…。ＬＥＤは、予約モード及び割込みモードを表示する。」（第４頁右上欄第１４行〜第５頁左上欄第６行）、
「割込み機能が指定された場合、……ステップ２５で割込みモードをセットし、ステップ２６で表示器ＬＥＤを点灯し割込みモードに入ったことをオペレータに知らせる。また、ステップ３０では、割込時待避用メモリ、即ち第３組の記憶手段に、現在使用している複写条件データ、即ち第１組の記憶手段の内容をストアする。…（中略）…。割込みモードに入ると、第５ａ図のステップ５において、第５ｃ図に示すステップ５２の処理が実行される。この場合、操作ボード３１０からオペレータがキー入力する情報を、第１組の記憶手段にストアする。」（第６頁右下欄第８行〜第７頁左上欄第４行）、及び
「また上記実施例では複写機の場合を説明したが、同様に連続的な動作を行なう可能性のある装置であれば、例えばイメージスキャナやプリンタにおいても同様に本発明を実施することができる。」（第８頁左上欄第１０〜１３行）が、それぞれ図面と共に記載されている。
　これらの記載から刊行物１には、以下の事項が開示されているものと認められる。
ａ　操作ボードに設けられた多数のキースイッチ等により、通常のジョブモードを設定すること。（Ａの構成）
ｂ　キースイッチＫＩを用いて割り込みモードに入りそのモードを設定できること。（Ｂの構成）
ｃ　複写条件データを記憶する記憶手段として、現在の複写条件データを記憶する記憶手段や、割り込み前の複写条件データを記憶する待避用記憶手段を有すること。（Ｃの構成）
ｄ　割り込み機能を備えた複写機やプリンタ等の画像処理装置。（Ｇの構成）
ｅ　表示器ＬＥＤを点灯させることで、割り込みモードに入ったことをオペレータに知らせること。（Ｅ、Ｆに関連する構成）
　
刊行物２：特開昭６２−１０９０７２号公報には、
「割込モードである旨を表示する手段を持つ複写機に於いて、」（第１頁左下欄第５〜６行）、及び
「本発明は複写機における割込入力方法に関する。（従来技術）従来複写機の割込入力は、複写機の操作部に割込キーを設け、押下することにより有効とし、それ迄にコピーした枚数、その他のモードを記憶し、割込コピーモードに切り換えていた、これはコピーしていない待機時においても有効としていたが（割込入力を受け付けていたが）、待機時には割込コピーモードに切り換える必要がないものである。待機時の割込モード表示もされるが煩わしいものとなる。」（第１頁右下欄第７〜１７行）が記載されている。
　
刊行物３：特開昭６１−５２６２号公報には、
「本発明は……、キー等による複写中断手段と中断後別の複写モード（枚数、サイズ等）の指定によりそのモードの複写を行ない、そのモードの複写後自動的に中断前の複写モード（設定枚数、サイズ、それまでの複写終了枚数）に復帰させる制御手段を有するものである。又、割込みによる別複写モード表示を行なうとともに中断後は自動的に中断以前の複写モードの表示を行なうものである。又、複数の複写中断指令手段を有し第１の中断指令手段により別のモード指定を可能にし、第２の中断指令手段によりそのモード指定の解除を行なうものである。」（第１頁右下欄第１９行〜第２頁左上欄第１２行）が記載されている。
　
　前記刊行物１乃至３は、いずれも割り込み複写に関するものであって、いずれのものからも、周知の事項として以下の事項が把握される。
「通常の複写モード設定手段と、前記通常の複写モードの動作中に割り込んで別の複写モードを設定できる割り込みモード設定手段と、前記設定手段で設定された各モードを記憶する記憶手段と、割り込みモードに入ったことを表示する表示手段と、を有する画像処理装置。」
　
刊行物４：特開昭６４−２１５２８号公報（コニカ株式会社の提出した甲第２号証）には、
「プリンタＰの制御装置を構成する中央処理装置（以下「ＣＰＵ」と記す）１にはアドレスバス、データバス、制御バスを介してＲＯＭ２、ＲＡＭ３、入出力インタフェース４，５，６がそれぞれ接続されている。ＲＯＭ２には、各種の機能処理ルーチンを含む印字制御プログラム、フォントパターン等が記憶されている。又、ＲＡＭ３には、入力データを一時記憶するFIFO（First In First Out）構成の入力バッファ３１と、１行分の文字パターンを作成するラインバッファ３２と、割込信号が検出されプリンタＰを割込印字モードに設定する割込フラグ３３と、印字動作が中断されるファイルデータの現在の書式デ−タを記憶する書式データメモリ３４とが設けられている。…（中略）…。又、入出力インターフェース６には割込信号発生手段を構成する割込スイッチ１３と割込印字モードであることを表示する割込表示ランプ１４とが接続されている。」（第２頁右下欄第２行〜第３頁左上欄第５行）、及び
「上記割込プログラムのＳ１〜Ｓ８の処理の繰り返しにより、入力バッファ３１には、第６図(a) に示すように、印字するファイルＡのデ−タが全て記憶される。次に、第５図に戻り、入力バッファ３１にデ−タが入力されＳ２２の判定がYES となると、Ｓ２３へ移行して割込フラグ３３がオフか否かが判定される。Ｓ２３の最初の実行サイクルでは割込フラグ３３はオフであるので、Ｓ２３の判定がYES となりＳ２４へ移行して、入力バッファ３１から１行分のデ−タが読込まれ、ラインバッファ３２にその１行分の印字パターンが形成され、１行の印字処理が行われる。そして、次のＳ２５で印字された１行印字デ−タが入力バッファ３１から削除され、次のＳ２６で入力バッファ３１のFIFOパラメータが更新され、次のＳ２７で割込スイッチ１３がオンか否かが判定される。割込スイッチ１３がオンに操作されない場合には、割込スイッチ１３はオフと判定されＳ２２へ戻り、上記した処理により次行の印字処理が順次実行される。印字処理の進行に伴い入力バッファ３１のメモリマップは第６図(b) に示すように、印字が完了したデ−タが入力バッファ３１から削除され、その領域は空領域に開放される。このようにして、入力バッファ３１に入力されているフィルムＡのデ−タが印字されている時に、割込スイッチ１３が操作されると、Ｓ２７の判定がYES となり、次のＳ２８にて、割込スイッチ１３を受け付けたことを示すために、割込表示ランプ１４を点滅させる。そして、Ｓ２９にてファイルＡのデ−タは頁末まで印字されたか否かが判定される。尚、割込スイッチ１３のオンオフ状態は１回の操作毎に反転し、次に操作されるまでそのオンオフ状態はラッチされている。ファイルＡのデ−タが頁末まで印字完了していない場合には、Ｓ２２へ戻りＳ２９で頁末まで印字が完了するまで上記した印字処理が継続されると共に割込ランプ１４が点滅している。Ｓ２９で頁末まで印字されたと判定され、次のＳ３０で入力バッファ３１の空領域が割込印字が可能なだけの所定容量以上か否かが判定され、所定容量以上存在しない場合にはＳ２２へ戻り入力バッファ３１の空き領域が所定容量以上となる頁末まで印字が継続され、割込ランプ１４が点滅している。又、入力バッファ３１の空き領域が所定容量以上となった場合にはＳ３０の判定がYES となりＳ３１へ移行する。Ｓ３１では割込表示ランプ１４が点灯され、次のＳ３２でその時の状態の入力バッファ３１に記憶されているファイルＡの先頭デ−タアドレス、デ−タエンドアドレス、デ−タ長が記憶され、Ｓ３３でファイルＡの現書式デ−タが書式デ−タメモリ３４に記憶される。この時、入力バッファ３１のメモリマップは第６図(c) に示す状態となり、Ｓ３４において入力バッファ３１の空領域が割込印字を行うファイルＢのデ−タを入力するためのサブバッファとして定義され、そのサブバッファの先頭デ−タアドレス、エンドデ−タアドレス等のサブバッファFIFOパラメータが初期設定される。そして、Ｓ３５で割込フラグ３３がオンに設定され、Ｓ２３に戻る。この時、割込フラグ３３はＳ３５でオンに設定されたのでＳ２３の判定はNOとなり、Ｓ３６へ移行する。」（第４頁左上欄第７行〜右下欄第１０行）が、それぞれ図面と共に記載されている。
　これらの記載から刊行物４には、以下の事項が開示されているものと認められる。
ｆ　通常のジョブモードの動作中（入力バッファのデータを印字中）に割り込みモードに移れる画像処理装置。（Ｇの構成）
ｇ　通常のジョブモードの動作中に割り込みの要求がある（割込スイッチがオンされる）と、割り込みを受け付けたことすなわち割り込み予約中であることを示すために、表示手段（割込表示ランプ）の点滅を開始する（第５図のＳ２７，２８）。（Ｅ、Ｈ、Ｉの構成）
ｈ　割り込みを受け付けると、頁末までの印字が終了し且つ入力バッファの空領域が所定容量以上の状態（すなわち、割り込みが可能な状態）になるまで通常のジョブモードによる印字を継続し、その間、表示手段を点滅させ続ける（第５図のＳ２９，３０）。（Ｅ、Ｉの構成）
ｉ　割り込みが可能な状態になると、表示手段を点灯させ（第５図のＳ３１）、割り込みモードを実行中であることを知らせる。（Ｆに関連する構成、及びＪの構成）
ｊ　表示手段の点滅や点灯のタイミングを求めるために「割り込み印字が可能か、不可能か（第５図のＳ２９，３０）」を判断しているが、「割り込み印字が可能」な場合とは「通常モードの印字が終了」した状態であり、「割り込み印字が不可能」な場合とは「通常モードの印字が動作中」の状態であるから、上記判断は「ジョブが停止中か通常のジョブモード動作中か」を判断するのと実質的に同じ結果が得られるものである。（Ｄの構成）
ｋ　割り込みフラグがオン（第５図のＳ３５）になり割り込みモードが開始された後、「割込フラグオフ？（第５図のＳ２３）」「サブバッファにデータ有？（第５図のＳ３６）」の２つのステップにより、それぞれ「割り込み中か？」「印字中か？」を判断している。（Ｄの構成）
　
（Ｅ）対比・判断
〈請求項１に係る発明について〉
　本件請求項１に係る特許発明（以下、「請求項１発明」という。）と刊行物１ないし３に記載の周知の発明とを対比すると、両者は、前記Ａ〜Ｃ及びＧの構成を有する点、すなわち、「通常のジョブモード設定手段と、前記通常のジョブモードの動作中に割り込んで別のジョブモードを設定できる割り込みモード設定手段と、前記設定手段で設定された各モードの記憶手段、及び割り込みモード表示手段を備えた画像処理装置」である点、で一致している。
　一方、請求項１発明が、前記Ｄ〜Ｆの構成、すなわち「ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段」という構成を有しているのに対して、前記刊行物１ないし３に記載の発明は、割り込みモードの表示手段は備えているものの、このＤ〜Ｆの構成を有していない点で、相違する。
　次に、刊行物４に記載の発明は、「割り込み機能を備えたプリンタ」に関する発明であるが、プリンタも画像処理装置の一つであるから、この発明と請求項１発明とは、割り込み機能を備えた画像処理装置の発明である点で共通している。
　そして、刊行物４に記載されている前記Ｄ〜Ｆに対応する構成は、割り込み予約中と割り込み中とを容易に判別できる表示を行うという割り込みモードの表示の改善に関するものである。
　よって、刊行物１乃至３に記載の周知の発明も割り込みモードの表示を行う構成を有しているから、割り込みモードの表示の改善のために、刊行物１ないし３に記載の前記周知の発明における割り込みモードの表示に関する構成を、刊行物４に記載の前記Ｄ〜Ｆに対応する構成で置き換えることは、当業者が容易になし得たことである。
　ところが、請求項１のＦの構成は、割り込みモードが動作可能で、かつ、割り込みモードの内容設定が可能となったときに表示を異ならせるものであるのに対し、刊行物４に記載のものは、割り込み動作が可能となったときには直ちに割り込み動作を開始し、割り込み動作中であることを表示を異ならせることによって知らしめるものであって、割り込み動作の内容設定に関しては記載も示唆もされていない。
　それ故、刊行物１乃至３に記載されているような割り込み機能を有する周知の画像形成装置に、刊行物４に記載されている割り込み時における表示技術を適用したとしても、請求項１発明の構成とすることはできない。
　ちなみに効果の点について考察すると、請求項１発明では使用者は表示をみて割り込みモードの内容設定が可能となったことを知ることができるのに対し、刊行物４では単に装置の動作状態が表示されているだけであるから、装置が割り込み動作中であることを知ることができるのみであって、割り込み動作の内容設定の可能となった時点を前記表示によって知ることはできない。
　したがって、請求項１発明は、刊行物１ないし３に記載の前記周知技術及び刊行物４に記載された発明に基づいて当業者が容易に発明をすることができたものとすることはできない。
　
〈請求項２に係る発明について〉
　請求項２に係る発明は、請求項１発明をベースとし、表示手段をさらに限定したものであるから、請求項１発明が当業者が容易になし得たものとすることができない以上、請求項２に係る発明についても、当業者が容易になし得たものとすることはできない。
　
〈請求項３に係る発明について〉
　請求項３に係る発明は、請求項１を引用して表現されていたものを、独立形式に表現を変えて形式的に訂正されたものであって、実質的には変更されていない。
　請求項３に記載された構成「割り込みジョブ中に割り込みモード解除設定手段の入力があったときにジョブモード判断手段が割り込みジョブ動作中であると判断したときは前記割り込みジョブ中とは異なる表示形態の割り込み解除予約中であることを表示する表示手段」は、刊行物１ないし４のいずれにも記載も示唆もされていない。そして、請求項３に係る発明は、係る構成を有することによって、他の構成と相俟って明細書記載の効果を奏するものである。
　よって、請求項３に係る発明が刊行物１ないし４に記載のものから当業者が容易になし得たものとすることはできない。
　
〈請求項４に係る発明について〉
　請求項４に係る発明は、請求項３に係る発明にさらに表示手段の構成を限定したものである。したがって、請求項３に係る発明が、当業者が容易になし得たものとすることができない以上、請求項４に係る発明についても、当業者が容易になし得たものとすることはできない。
　
（Ｆ）申立人の主張
ア．申立人武田政子の主張について、
　申立人武田政子は、甲号各証の記載事項について概略以下の如く述べている。
　甲第１号証（特開昭６３−２７９２６９号公報）には、
・「例えばこの複合機器１が複写（ＣＯＰＹ）モードをイニシャルに設定していれば、」（第３頁右上欄第１〜３行）なる記載があり、これは、請求項１の構成要件である「通常のジョブモード設定手段」に相当する。
・「この装置をスタートし特定の操作モード、例えば複写モード実行に（ＳＴ２０）、割込みモード、例えばファクシミリ受信モード（ＳＴ２１）が生じたものとする。」（第４頁左下欄第１６〜１９行）なる記載があり、これは、請求項１の構成要件の「前記通常のジョブモードの動作中に割り込んで別のジョブモードを設定できる割り込みモード設定手段」に相当する。
・「コントローラ２は第１メモリ２００に格納されているイニシャルモードの制御プログラムを取込む。例えばこの複合機器１が複写（ＣＯＰＹ）モードをイニシャルに設定していれば、第４図に示す内容の制御プログラムを取込み、」（第３頁左上欄第１９行〜右上欄第４行）なる記載がある。これは、複写モードに必要な動作プログラムは第１メモリに記憶され、ファクシミリ受信モードに必要な情報は第２メモリに記憶されていることになる。
・「この装置のオペレータはこの「ファクシミリ受信」の文字を見て……プリンタ１４０は受信内容情報をプリントアウトし（ＳＴ２９）、オペレータの表示に供する。」（第４頁右下欄第１２行〜第５頁左上欄第７行）なる記載があり、これは、請求項１の構成要件「前記設定手段で設定された各モードの記憶手段」に相当する。
・「この装置をスタートし特定の操作モード、例えば複写モード実行中に（ＳＴ２０）、割込みモード、例えばファクシミリ受信モード（ＳＴ２１）が生じたものとする。尚、割込み機能は前記制御プログラムに基づいてヘルプ欄１５を押下することにより生じるものとし、例えばヘルプ欄１５を１回押下すれば実行中の操作モードを継続し、ヘルプ欄１５を２回押下すれば実行中の操作モードが割込みモードに応じた操作モードに切替わるものとして以下の説明を行なう。」（第４頁左下欄第１６行〜右下欄第５行）なる記載があり、これは、請求項１の構成要件「ジョブが停止中か通常のジョブモード動作中か割り込みモード動作中かを判断するジョブモード判断手段」に相当する。
・「そして、この段階でコントローラ２は前記メッセージ欄１４に第７図(a) に示すように「ファクシミリ受信」の文字を表示する（ＳＴ２３）。」（第４頁右下欄第９〜１１行）なる記載があり、これは、割込みモードの設定入力があったとき（すなわち、ファクシミリ受信モードが生じたとき）、「ファクシミリ受信」と表示すると解釈できる。
・「この装置のオペレータはこの「ファクシミリ受信」の文字を見て複写モードを続行するか否かを判断し（ＳＴ２４）、もし複写モード続行ならばヘルプ欄１５を１回押圧する（ＳＴ２５）。すると、複合機器部３はコントローラ２による制御の基に複写モードの動作を続行すると共に（ＳＴ２６）、予め第１メモリ２００に格納されている動作プログラムに基づき複写モードの動作を続行しつつファクシミリ受信に基づく受信内容を第２メモリ２１０へ記憶する（ＳＴ２７）。」（第４頁右下欄第１２行〜第５頁左上欄第１行）なる記載がある。すなわち、「ファクシミリ受信」と表示された状態で、ヘルプ欄の操作回数に応じて、複写モードを続行するかファクシミリ受信モードを実行するかを選択するものである。これは、「ファクシミリ受信モード」が選択されないまま「ファクシミリ受信」と表示されている状態から「ファクシミリ受信モード（割り込みモード）予約中」に変化すると解釈できる。
・「一方、上述したＳＴ２４においてオペレータがファクシミリ受信モードに切替える場合にはヘルプ欄１５を２回押下する（ＳＴ３０）。すると、コントローラ２は制御プログラムに基づき第７図(b) に示すようにメッセージ欄７３の表示制御を行ない、ここに「ファクシミリ受信中」の文字を表示すると共に（ＳＴ３１）、複写モードにおける平面型ディスプレイ８ｂの表示態様を第８図に示すようにモード欄６９及びメッセージ欄７３のみを残し、他の部分の表示を消す（ＳＴ３２）。」（第５頁左上欄第１１〜２０行）なる記載がある。すなわち、ヘルプ欄が２回押され、「ファクシミリ受信モード」となった時点で「ファクシミリ受信中」と表示が変わるものである。これは、「割り込みモード（ファクシミリ受信モード）予約中」とは異なった表示になる（文字の「中」が追加される）ものと解釈できる。このため、甲第１号証には、請求項１の構成要件である「前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段」に相当する構成が開示されている。
・「また、コントローラ２はこの状態で第８図に示すようにモード欄６９の「ＦＡＸ」の文字の点滅を行なう（ＳＴ３４）。」（第５頁右上欄第６〜８行）なる記載がある。このような点を上げるまでもなく、点灯することによって情報等を表示するものを点灯、点滅させることにより通常状態と割込み状態のモードの違いを表示することは常套手段である。このため、甲第１号証には請求項２の構成要件である「前記表示手段は通常のジョブモードの動作中には消灯表示し、割り込みモード予約中には表示ランプを点滅表示し、割り込みモード実行中には点灯表示する」に相当する構成が開示されている。
　
　甲第２号証（特開昭５７−４４１５９号公報）には、
「点灯することによって情報を表示するもの（コピー枚数表示素子）を点灯、点滅させることにより通常状態と割込み状態のモードの違いを表示する（点灯：通常状態、点滅：割込み状態）」（特許請求の範囲）なる記載がある。なお、点灯することによって情報等を表示するものを点灯、点滅させることにより通常状態と割込み状態のモードの違いを表示することは、証拠をあげるまでもなく常套手段である。このため、甲第２号証には、請求項２の構成要件である「前記表示手段は通常のジョブモードの動作中には消灯表示し、割り込みモード予約中には表示ランプを点滅表示し、割り込みモード実行中には点灯表示する」に相当する構成が開示されている。
　
　更に、本件特許発明と甲号各証との対比として、概略以下の如く述べている。
　以上に述べたように、甲第１号証には請求項１の構成要件を備えた発明、および、請求項２の構成要件を備えた発明が記載され、甲第２号証には請求項２の構成要件を備えた発明が記載されている。このため、請求項１および２に係る発明は、甲第１号証乃至甲第２号証に記載された発明に基づいて当業者が容易に発明をすることができたものである。
　なお、請求項３および４についても、甲第１号証乃至甲第２号証に記載された発明に基づいて当業者が容易に発明をすることができたものである。　請求項３および４に係る発明では、割り込みモードを行っている間に通常のジョブモード（割り込みモードの解除）が指定された場合、まだ割り込みモードでの動作が終了していない間は、「通常のジョブモード（割り込みモードの解除）が予約された状態であることを示す表示」を行い、割り込みモードでの動作が終了して「通常のジョブモードであることを示す表示」を行うものである（本書に添付した参考図Ａ参照）。
　いずれにしても、甲第１号証には、「通常のジョブモード（複写モード）で動作している間に割り込みモード（ファクシミリ受信」が指示されると、割り込みモードが予約された状態にあることを示す表示（「ファクシミリ受信」）が表示され、割り込みモードを受け付けることが決定すると、割り込みモードに切り替わったことを示す表示（「ファクシミリ受信中」）が表示される。すなわち、通常のジョブモードのときの表示、割り込みモードが予約された状態の表示、割り込みモードのときの表示がそれぞれ異なる表示になるという点について、甲第１号証に開示されている。
　したがって、請求項１および２に係る本件特許発明と同様に、請求項３および４に係る本件特許発明も、甲第１号証乃至甲第２号証に記載された発明に基づいて当業者が容易に発明をすることができたものである。
　
〈当審の判断〉
　甲第１号証には、「複写機、ファクシミリ等の独立した数種類の機能を有する機器を一体化した複合機器に用いられる複合表示に関するものであって、前記複合機器におけるいずれかの操作機能実行中に割込みをかける割込み機能と、この割込み機能発生時に割込み前の操作機能における表示部の設定態様を記憶する記憶手段と、割込み機能の発生の有無により前記表示部の設定態様を変更する制御手段とを有し、前記制御手段は割込み機能発生時にはこの割込み機能に応じた表示部の設定態様としてその操作機能を実行可能としたことを特徴とする複合表示装置」（特許請求の範囲参照）が記載されている。
　この記載からも明らかなように、甲第１号証は、独立した数種類の機能を有する機器を一体化した複合機器に関するものであって、その表示部はそれぞれの機器の状態、すなわち、複写機、ファクシミリ等の独立した機器としての機能同志の複合機器内における割り込み関係の状態、を表示するものであって、請求項１発明における単一の機器である画像形成装置の機能状態を表示するものとは、その概念を異にしている。
　したがって、甲第１号証に記載のものと請求項１発明とは、その前提において相違するものであるから、申立人の主張するように文言において類似する表現が用いられている部分があるとしても、そのことから請求項１発明が甲第１号証から容易に想到できたものとは認められない。
　
　請求項２ないし４に係る発明についても、請求項１発明においてと同様に、甲第１号証に記載の発明とは、その前提において相違するものであるから、請求項２ないし４に係る発明が甲第１号証に記載のものから当業者が容易になし得たものとすることはできない。
　
　なお、甲第２号証には、「原稿記録手段と画像情報記録手段を有し、画像情報記録を優先する複合コピー装置において、複数枚の原稿記録中に、画像情報記録要求が起こった場合、コピー枚数表示素子を点滅させて、画像情報記録処理後は、上記点滅をさせないで残りの原稿記録枚数を表示することを特徴とする複合コピー装置割込み制御方式。」（特許請求の範囲参照）と記載されている。この記載から明らかなように、単に優先機能の割り込み実行中はコピー枚数表示素子を点滅させるというものであって、優先機能の処理の終了後は以前の点灯表示に戻るというものであるから、本件請求項１ないし４に係る発明に対する公知例として採用すべき技術が開示されたものとは認められない。
　
　したがって、申立人武田政子の前記主張を採用することはできない。
　
イ．申立人コニカ株式会社の主張について
　申立人コニカ株式会社は、本件特許発明に対して、証拠として甲第１号証（特開平２−２３５０７６号公報）、及び甲第２号証（特開昭６４−２１５２８号公報）を提出し、本件請求項１ないし２に係る特許は特許法第２９条第２項の規定に違反してなされたものであるから、特許を取り消されるべき旨を、申立書に記載した理由によって主張している。
　当審では、申立人コニカ株式会社の提出した甲第１号証及び甲第２号証に、さらに刊行物２及び３を追加して、取消理由を通知したものであって、申立人コニカ株式会社の異議申立ての理由の趣旨は前記取消理由に採用されたところである。
　したがって、申立人コニカ株式会社の主張する理由については、前記３．(C) 、(D) 、(E) の項においてすでに検討したとおりである。
　
（Ｇ）むすび
　以上のとおりであるから、本件請求項１ないし請求項４に係る特許発明が、申立人武田政子の提出した甲第１号証ないし甲第２号証、またはコニカ株式会社の提出した甲第１号証ないし甲第２号証のいずれかに記載された発明であるとも、それらに記載のものから容易に発明をすることができたものであるともすることはできない。
　また、他に本件請求項１ないし４に係る特許発明の特許を取り消すべき理由を発見しない。
　よって、結論のとおり決定する。
【異議決定日】
平成１２年１０月３日（２０００．１０．３）
【訂正の要旨】
　特許第２９２７０２７号の特許明細書を本件訂正請求書に添付された訂正明細書のとおりに訂正する。すなわち、
（１）　特許請求の範囲の減縮を目的として、特許請求の範囲の請求項１の記載
「【請求項１】通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、を備えたことを特徴とする画像処理装置。」を
「【請求項１】通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能で、かつ、割り込みモードの内容設定が可能となったときは前記割り込みモード予約中表示とは異なる表示をする表示手段と、を備えたことを特徴とする画像処理装置。」と訂正する。
（２）　明りょうでない記載の釈明を目的として、特許請求の範囲の請求項３の記載
「【請求項３】請求項１記載の画像処理装置にさらに、割り込みモード動作中に、その割り込みジョブを解除できる割り込みモード解除設定手段と、割り込みジョブ中に割り込みモード解除設定手段の入力があったときにジョブモード判断手段が割り込みジョブ動作中であると判断したときは前記割り込みジョブ中とは異なる表示形態の割り込み解除予約中であることを表示する表示手段と、を追加して備えたことを特徴とする画像処理装置。」
を
「【請求項３】通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、を備えた画像処理装置に、さらに、割り込みモード動作中に、その割り込みジョブを解除できる割り込みモード解除設定手段と、割り込みジョブ中に割り込みモード解除設定手段の入力があったときにジョブモード判断手段が割り込みジョブ動作中であると判断したときは前記割り込みジョブ中とは異なる表示形態の割り込み解除予約中であることを表示する表示手段と、を追加して備えたことを特徴とする画像処理装置。」と訂正する。
（３）　請求項１の訂正に伴って、発明の詳細な説明の記載が不明りょうになることの釈明を目的として、特許明細書の段落【０００５】の記載を、
「【０００５】【課題を解決するための手段】
　本発明の上記目的は次の構成により達成される。すなわち、通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能で、かつ、割り込みモードの内容設定が可能となったときは前記割り込みモード予約中表示とは異なる表示をする表示手段とを備えた画像処理装置、または、通常のジョブモード設定手段と、前記通常のジョブモードの動作中に割り込んで別のジョブモードを設定できる割り込みモード設定手段と、前記設定手段で設定された各モードの記憶手段と、ジョブが停止中か通常のジョブモード動作中か割り込みモード動作中かを判断するジョブモード判断手段と、前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、を備えた画像処理装置に、さらに、割り込みモード動作中に、その割り込みジョブを解除できる割り込みモード解除設定手段と、割り込みジョブ中に割り込みモード解除設定手段の入力があったときに前記ジョブモード判断手段が割り込みジョブ動作中であると判断したときは前記割り込みジョブ中とは異なる表示形態の割り込み解除予約中であることを表示する表示手段と、を追加して備えた画像処理装置である。」と訂正する。
（４）　明らかな誤記の訂正を目的として、段落【００２４】の記載中「（ＡＳＣ１０））を」の記載を、「（ＡＳＣ１０）を」と訂正する。
（５）　明らかな誤記の訂正を目的として、段落【００２５】の記載中「リセツトをかける」の記載を、「リセットをかける」と訂正する。
（６）　明らかな誤記の訂正を目的として、段落【００２８】の記載中「すべての全てのプログラム」の記載を「すべてのプログラム」と訂正する。
（５４）【発明の名称】
画像処理装置
（５７）【特許請求の範囲】
　　【請求項１】　通常のジョブモード設定手段と、
　前記通常のジョブモードの動作中に割り込んで別のジョブモードを設定できる割り込みモード設定手段と、
　前記設定手段で設定された各モードの記憶手段と、
　ジョブが停止中か通常のジョブモード動作中か割り込みモード動作中かを判断するジョブモード判断手段と、
　前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能
で、かつ、割り込みモードの内容設定が可能
を備えたことを特徴とする画像処理装置。
　　【請求項２】　前記表示手段は通常のジョブモードの動作中には消灯表示し、割り込みモード予約中には表示ランプを点滅表示し、割り込みモード実行中には点灯表示することを特徴とする請求項１記載の画像処理装置。
　　【請求項３】　
通常のジョブモード設定手段と、
　
前記通常のジョブモードの動作中に割り込んで別のジョブモードを設定できる割り込みモード設定手段と、
　
前記設定手段で設定された各モードの記憶手段と、
　
ジョブが停止中か通常のジョブモード動作中か割り込みモード動作中かを判断するジョブモード判断手段と、
　
前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、
を備えた
、
　割り込みモード動作中に、その割り込みジョブを解除できる割り込みモード解除設定手段と、
　割り込みジョブ中に割り込みモード解除設定手段の入力があったときにジョブモード判断手段が割り込みジョブ動作中であると判断したときは前記割り込みジョブ中とは異なる表示形態の割り込み解除予約中であることを表示する表示手段と、を追加して備えたことを特徴とする画像処理装置。
　　【請求項４】　前記表示手段は通常のジョブモード動作中には消灯表示し、割り込みモード予約中には表示ランプを点滅表示し、割り込みモード実行中には点灯表示し、割り込みモード解除予約中には点滅表示することを特徴とする請求項３記載の画像処理装置。
【発明の詳細な説明】
　　　【０００１】
　　【産業上の利用分野】
　本発明は複写機、プリンタ、ファクシミリ等の画像処理装置に関する。
　　　【０００２】
　　【従来の技術】
　画像処理装置の中で複写機を例にすると、連続複写中に他に緊急に複写をする必要がある場合がある。このとき、緊急複写用の割り込みを可能とする割り込み機能を有する複写機等がある。割り込み機能を持つ複写機においては、割り込み用のボタンを押すことで割り込みモードに入ることができ、また、再度割り込みボタンを押すと割り込みモードが解除される。
　　　【０００３】
　　【発明が解決しようとする課題】
　上記従来技術の複写機は緊急に複写をしたいユーザーが割り込みボタンを押すと割り込みモード設定前から割り込みモードに入るための表示ランプが点灯する。またその表示ランプの点灯状態は再度割り込みボタンを押して割り込みが解除されるまで続く方式のものであった。
　そのため、割り込み設定前、すなわち割り込み予約中にも割り込みモードの表示ランプが点灯している。割り込み予約中は現在動作中の複写作業が続行されているので割り込みモードに入れない。しかし、前記従来の点灯方式だと割り込み予約中か実際に割り込みモードに入ったのか区別できないため、ユーザーはマシン（Ｍ／Ｃ）が割り込み予約中であるためまだ割り込みを受け付けできないにもかかわらず、割り込みモード設定後の複写機能の設定をしょうとして無駄な機能ボタン押下動作をしてしまう。
　　　【０００４】
　また、二度目に割り込みボタンを押すと割り込みモードの複写動作中であれば割り込み解除の予約ができる。従来は、二度目の割り込みボタンの押下では割り込み機能表示ランプが消灯していたため、マシンが受け付けないにもかかわらず、別のユーザーが割り込み解除後の新たな機能に関するモード設定をしようとして無駄なボタン押下動作をしてしまうことがしばしばあった。
　そこで、本発明の目的は割り込み予約中と割り込み中および割り込み中と割り込み解除予約中とをユーザーが容易に判別できる画像処理装置を提供することである。
　　　【０００５】
　　【課題を解決するための手段】
　本発明の上記目的は次の構成により達成される。
　すなわち、通常のジョブモード設定手段と、前記通常のジョブモードの動作中に割り込んで別のジョブモードを設定できる割り込みモード設定手段と、
　前記設定手段で設定された各モードの記憶手段と、
　ジョブが停止中か通常のジョブモード動作中か割り込みモード動作中かを判断するジョブモード判断手段と、
　前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能
で、かつ、割り込みモードの内容設定が可能
　
通常のジョブモード設定手段と、
　
前記通常のジョブモードの動作中に割り込んで別のジョブモードを設定できる割り込みモード設定手段と、
　
前記設定手段で設定された各モードの記憶手段と、
　
ジョブが停止中か通常のジョブモード動作中か割り込みモード動作中かを判断するジョブモード判断手段と、
　
前記割り込みモード設定手段の入力があったときに前記ジョブモード判断手段が通常のジョブモードの動作中であると判断したときは割り込みモードの予約中であることを表示し、ジョブが停止中であって、割り込みモードが動作可能となったときは前記割り込みモード予約中表示とは異なる表示をする表示手段と、
を備えた
、
　割り込みジョブ中に割り込みモード解除設定手段の入力があったときに前記ジョブモード判断手段が割り込みジョブ動作中であると判断したときは前記割り込みジョブ中とは異なる表示形態の割り込み解除予約中であることを表示する表示手段と、を追加して備えた画像処理装置である。
　　　【０００６】
　前記表示手段は通常のジョブモード動作中には消灯表示し、割り込みモード予約中には表示ランプを点滅表示し、割り込みモード実行中には点灯表示し、割り込みモード解除予約中には点滅表示するものを用いることができる。
　本発明の構成図を図１、図２に示す。
　　　【０００７】
　　【作用】
　図１、図２に示すように、本発明の画像処理装置の表示手段は割り込みモード設定手段の入力前の通常のジョブモード動作中は通常ジョブモードが実行されていることを表示（例えば、消灯表示）する。そして、割り込みモード設定手段の入力があったときに、通常のジョブモードの動作中であれば、表示手段は割り込みモード予約中であることを表示（例えば、点滅表示）する。そして、割り込みモードの動作が可能になると、表示手段は割り込みジョブ可能であることを表示（例えば、点灯表示）する。また、割り込みジョブ動作中に、その割り込みジョブを解除できる割り込みモード解除設定手段の入力があったときには、前記割り込みジョブ動作中とは異なる表示形態の割り込み解除予約中であることを表示（例えば、点滅表示）をする。こうしてユーザーは割り込みモードに関連した操作を表示手段の表示形態に従って迷わずに行うことができる。
　　　【０００８】
　　【実施例】
　本発明の実施例を図面と共に説明する。
　なお、本実施例は複写機に適用したもので、ベースマシンに両面自動原稿送り装置（以下、ＤＡＤＦという。）、ソータなどの付属装置が組み合わされて構成されるものである。ここで、ベースマシンとは、一段以上の用紙トレイとマニュアルフィード用の手差しトレイを備え、プラテンガラス上に原稿をマニュアルでセットし、コンソールパネルにより設定したコピー条件でジョブを実行することのできる装置である。
　　　【０００９】
　複写機は、図３に示すように、ベースマシン１にＤＡＤＦ２、ソータ３が取付けられており、このベースマシン１はコンソールパネル４によって設定されたジョブに応じて付属装置を含む機構部を制御し、ＤＡＤＦ２で送られた原稿から読み取った画像処理を基に用紙トレイ部５から供給される指定サイズの用紙に対して画像処理を施した後、排紙処理を実行すると共に、ソータ３において画像処理された用紙の仕分けを行うように構成されている。
　　　【００１０】
　また、複写機の概略を図４を用いて説明する。ベースマシン１内には感光ドラム７が配置されている。図において、感光体８は感光ドラム７外周面に層状に形成されている。この感光ドラム７は、矢印方向に回転するように図示しない駆動装置に連結されている。感光ドラム７の外周には、チャージコロトロン９、帯電除去装置１０、現像器１１、１２、転写コロトロン１３およびクリーニング装置１５が配置されている。なお、帯電除去装置１０は不要な複写画像が用紙に転写されないように消し込むためにチャージコロトロン９で帯電した感光体８の一部の帯電を除去するものである。
　　　【００１１】
　この複写機においては、感光ドラム７が矢印方向に回転するにつれて、感光体８がチャージコロトロン９によって一様に帯電された後、露光箇所１６で光の照射を受け静電潜像が形成される。露光箇所１６には、ベースマシン１の上面に配置されたプラテンガラス１７上に載置された図示しない原稿の光像が入射されるようになっている。このために、露光ランプ１９と、これによって照明された原稿面の反射光を伝達する複数のミラー２０および光学レンズ２１とが配置されており、このうち所定のものは原稿の読み取りのためにスキャンされるようになっている。
　静電潜像が形成された感光体８は、その後、現像器１１、１２で現像される。ここで感光体８上に形成されたトナー像は、転写コロトロン１３により用紙上に転写され、ヒートロール２３およびプレッシャロール２４間で熱定着されて搬出される。一方、感光体８はクリーニング装置１５によりクリーニングされ再使用に供される。
　　　【００１２】
　一方、ベースマシン１に配置されている用紙供給トレイ２５に収容されている用紙２７あるいは手差しトレイ２８に沿って手差しで送り込まれる用紙２７は、送りロール２９あるいは３１によって送り出され、搬送ロール３２に案内されて感光ドラム７と転写コロトロン１３の間を通過する。このとき、トナー像が用紙２７上に転写される。転写後の用紙２７はヒートロール２３およびプレッシャロール２４の間を通過して熱定着される。そして、搬送ロール３２の問を通過して排出トレイであるソータ３に搬出される。　なお、中間トレイ３３は両面または多重コピー用に用いられるものである。
　　　【００１３】
　コンソールパネル４は、図５に示すように、同パネル４上に配置された用紙サイズ、倍率、複写枚数などの設定／入力、スタート、ストップ、割込み、設定確認などの操作を行うためのハードキーとしてのボタン３５と液晶ディスプレイ（以下、ＬＣＤという。）３６上に表示される機能に対応して表示部分に設けられたタッチキーとしてのボタン（図示せず。）を備えている。
　　　【００１４】
　またコンソールパネル４にはハードキー３５を操作したときの選択、設定の状態がＬＥＤランプ３７などにより表示されている。コンソールパネル４のボタンの機能については後述する。
　　　【００１５】
　図６は複写機のハードウェア構成が示されている。ユーザーインタフェース（以下、ＵＩと言う。）３９はコンソールパネル４にあるボタンの操作による設定／入力されたデータ処理を実行し、本機システムを管理するＭＡＩＮ　ＰＷＢＡ（以下「ＭＡＩＮ系」と称す）４０に入力データを送ると共に、ユーザーへの表示を行う。
　　　【００１６】
　ＤＡＤＦコントローラ４１は、原稿の両面から画情報を読み取るために、この読み取りタイミングに合わせて原稿をプラテンガラス１７上に搬送するための制御を行う。
　　　【００１７】
　光学的読取り装置（ＯＰＴ）コントローラ４２は、プラテンガラス１７上に搬送された原稿からユーザーが指定した画情報の光学的な読取り制御を行う。
　帯電除去装置（ＩＳＩＬ）コントローラ４３は、原稿の画情報から不要な部分を消し込む処理、原稿の周辺を消す枠消し処理、原稿の画情報の中からの特定情報描出などの編集処理の制御を行う。画像記録装置（ＩＯＴ）コントローラ４４は、原稿から読み取られた画情報を基に画像処理を実行する際に、用紙２７の搬送制御、紙づまり検知およびＺｅｒｏ回りである現像プロセス制御を管理する。
　　　【００１８】
　特定トレイ（ＤＤＭ／ＴＲＡＹ［Ｘ］）コントローラ４５は、ＩＯＴコントローラ４４からの両面画像処理に関する指令に基づいて片面の画像処理が既に行われている用紙２７を反転させてその背面に画像処理を施すために、次のＺｅｒｏタイミングまで一時待機させるように中間トレイ３３を制御したり、またＩＯＴコントローラ４４からの特別トレイ動作指令により、用紙パスの関係から制御上、他のトレイとは別に取り扱われる特別トレイ［Ｘ］、例えば最下段トレイ２５の制御を行う。
　　　【００１９】
　ソータコントローラ４６は、例えば２０ビンソータをＩＯＴコントローラ４４からの仕分け指令により駆動し、ベースマシン１から搬出される画像処理後の用紙２７を指定されたビンに貯えるための制御を行う。スティプルソータコントローラ４７は、ＩＯＴコントローラ４４からの綴じ込み仕分け指令によりビンに貯えられた用紙２７を丁合した後にスティプルで綴じるための制御を行う。
　ライトレンズマネジャー（以下、ＬＬＭという。）４８は、システムの全体を統括管理しており、主に原稿の画像処理と用紙２７の搬送を時間的に一致させるためのシステムタイミング制御やユーザが設定するコピーモードなどのジョブ管理を行う。
　　　【００２０】
　シリアルデータ通信プロセッサ（以下、ＳＣＰという。）４９は、ＵＩ３９、ＤＡＤＦ２、ＯＰＴおよびＩＳＩＬ１０とのデータの送受をシリアル通信で行うと共に、ＬＬＭ４８との間のデータをパラレル通信によりやり取りするためのデータ処理を行う。特にＳＣＰ４９とＬＬＭ４８とのデータのやり取りは、ＳＣＰ４９に内蔵されているデュアルポートＲＡＭ（図示せず。）を通して行われる。すなわち、ＬＬＭ４８は自分のアドレスマップ上に割り付けられたＳＣＰ４９のデュアルポートＲＡＭをリード／ライトし、このＲＡＭをＳＣＰ４９がリード／ライトすることで情報の伝達を行っている。
　　　【００２１】
　上記のハードウェアは各機能ごとに独立したＣＰＵを備え、このＣＰＵと周辺ＬＳＩにより電気回路基板ＰＷＢＡが構成されている。
　ここで、ＬＬＭ４８、ＳＣＰ４９およびＩＯＴコントローラ４４はベースマシン１の制御系の中枢を成すもので、各機能を分担するＣＰＵと周辺ＬＳＩにより主制御回路基板（以下、「ＭＡＩＮ系」という。）４０を構成している。
　　　【００２２】
　以下、本発明のユーザーインタフェース（ＵＩ）系３９について説明する。
　図７はＵＩ系３９のハードウェア構成が示されている。ＵＩ系３９はＭＡＩＮ系４０と通信回線で結ばれているＵＩ制御回路基板５０、ＬＣＤ３６、タッチスイッチ（ＴＯＵＣＨ　ＳＷ）６１（ＬＣＤ３６上のタッチパネルキーに相当）、キースイッチ３５（ＫＥＹ　ＳＷ）（図５のハードキー３５に相当）などを備えたコンソールパネル回路構成部５１とから構成されている。
　ＵＩ制御回路基板５０は、ＬＣＤ３６を制御するＬＣＤコントローラ５３、ボタン入力を検知して発光ダイオードＬＥＤ３７への通電を制御するパラレルＩ／Ｏ５４、ＬＣＤ電源回路（パワーサプライ）５５、およびＬＣＤコントローラ５３への表示制御指令や検知されたボタン入力の認識などを実行するＣＰＵ５６とから構成されている。
　　　【００２３】
　コンソールパネル回路構成部５１は、ハードキー部５８とＬＣＤ部５９とから成る。ハードキー部５８にはキースイッチ３５とこのキースイッチ３５に対応して設けられた発光ダイオードＬＥＤ３７が設けられており、またＬＣＤ部５９はＬＣＤコントローラ５３からの信号によりＬＣＤ３６を構成するマトリクスに配置された画素をマトリクス駆動させるＬＣＤドライバ６０、ＬＣＤ３６上の表示部分、例えば機能ボタンの絵、文字を触れることによりスイッチ信号を発するタッチスイッチ６１およびＬＣＤ３６の背面から照明するバックライト用エレクトロルミネッセンスＥＬ６２とから構成されている。
　　　【００２４】
　図８と図９はＵＩ制御回路基板５０の回路構成が示されている。
　ＣＰＵ５６は、後述のＵＩリモートサブシステムを構成するソフトウェアの各モジュールを起動することにより、コンソールパネル４のスイッチ情報をパラレルＩ／Ｏ５４を介してデータバスに取り込み、このスイッチ情報を認識して得られたジョブに関する設定モード情報をシリアルチャンネル０（ＡＳＣ１０
）を
　　　【００２５】
　設定モード情報は、アドレスコードにより指定されたＲＡＭ６４のアドレスに一時記憶され、またアドレスバスによってＬＣＤ３６に関する表示情報に基づく指令がＬＣＤコントローラ５３に発せられる。
　パワーオンリセット／ウオッチドッグタイマ（ＰＯＷＥＲ　ＯＮ　ＲＥＳＥＴ＆ＷＤＴ）回路６５は前者が電源ＯＮ後の電圧が一定するまでの間ＣＰＵ５６を動作させなくするためのホールド回路であり、後者はＩ／Ｏマップを作成する際に出される信号を監視し、この信号が途絶えたときＣＰＵ５６に
リセット
　　　【００２６】
　アドレスデコード６６およびＩ／Ｏデコード６７の各回路はメモリマップおよびＩ／Ｏマップを作成するためにどの番地からはどのＬＳＩをイネーブルとするかを決定する。
　またアドレスコードによりコントロールＲＯＭ６８、フォントＲＯＭ６９、ロゴＲＯＭ７０に格納されたデータがＬＣＤコントローラ５３に出力される。特にコントロールＲＯＭ６８には前述の通信、表示、キー入力等を制御するためのプログラムが格納されている。フォントＲＯＭ６９は各種文字や絵フォントが記憶されている。ロゴＲＯＭ７０はＬＣＤ３６に表示される特殊フォントを記憶している。ＲＡＭ６４は設定されたジョブ内容、すなわち設定モード情報を一時的に記憶する。ＮＶＭ７１は不揮発性メモリであり、たとえばコンソールパネル４上の初期状態の設定情報を記憶するジョブメモリとして使用される。また、ジョブメモリを構成するＩＣカード６７を設けても良い。
　　　【００２７】
　ＬＣＤコントローラ５３は、コントロールＲＯＭ６８の表示制御プログラムを実行し、ＶＲＡＭ７３の内容をＬＣＤ３６に表示するための制御を行うと共に、ＣＰＵ５６のＶＲＡＭ７３へのライト（Ｗｒｉｔｅ）動作をサービスする。すなわちＣＰＵ５６が書き込みし易い形式に変更する。タイミングコントローラ７４は、ＬＣＤコントローラ５３が一定周期でＶＲＡＭ７３の内容をＬＣＤ３６に表示するためのリード（Ｒｅａｄ）動作とＣＰＵ５６のＶＲＡＭ７３へのライト動作のタイミングを図るものである。図９に示すＬＣＤドライバ７５は、ＬＣＤコントローラ５３からのマトリクス駆動信号を基に３２０×２００画素から成るＬＣＤ３６の該当する画素に対するＬＣＤ電源回路５５からの供給される印加電圧を制御する。
　　　【００２８】
　次にＵＩ系３９のソフトウェア構成について説明する。図１０はＵＩサブシステムのモジュール構成が示されている。
　ＵＩ系３９のソフトウェア構成は、ＵＩ系３９の
すべての
　　　【００２９】
　特に、要求により起動されるモジュールは、本システムの動作状態ごとに分けられており、パワーオン時はＰＷＲモジュール８７、待機時はＳＴＢＹモジュール８０、コピー時はＰＲＮＴモジュール７９、仕様設定時はＣＵＳＰモジュール８８およびシステム調整時はＤＩＡＧモジュール８９が起動される。例えばパワーオン時にはＰＷＲモジュール８７が呼び出され、この動作に関係する部品を制御するモジュール（ＬＣＤ８１、ＡＵＴＯ９０、ＩＮＰＶ９１）が呼び出されて起動する。以下、各モジュールの機能について説明する。
　　　【００３０】
　ＲＴＭＯモジュール７６は、モニタと呼ばれる管理プログラム（ＯＳ）で、全てのプログラムを監視する働きをもっており、その主なものとしてプログラムの入力出力や割込の処理を行うと共に、ＬＥＤ３７の点滅、ブザー７２（図９）の動作時間を作るための基準時間などの実時間管理およびＬＥＤ３７の表示制御を行う。
　ＳＥＲＬモジュール８３は、ＬＬＭ４８のメインＣＰＵ（図示せず。）と通信を行っている。
　ＭＥＳＧモジュール７７は、ＬＣＤ３６上に文字等のメッセージ、例えば「コピーができます」などの文字を表示するための制御を行う。
　　　【００３１】
　ＣＮＳＬモジュール７８は、ボタン操作の認識処理を行う。
　ＢＣＨＫモジュール９２は、ハードキー３５、タッチパネルキー６１などのボタン操作、例えば同時に複数のボタンが押されたときやＬＣＤ３６上でスイッチのない場所をタッチしたときやボタン押しの有効／無効などのチェック処理を行う。ＣＭＤＳＴＳモジュール９３は、本システムの機構部（ベースマシン１）とのコマンド／ステータスのやり取りを行う。
　ＰＲＮＴモジュール７９は、ジョブ実行時に呼び出され、ＬＣＤモジュール８１を起動してディスプレイ上にコピー中である旨などコピー動作に関するメッセージを表示する。
　ＣＵＳＰモジュール８８は仕様設定モードにおけるウインドウメニューの表示制御を行い、オペレーションにより設定されたパラメータをＣＭＤＳＴＳモジュール９３を通してベースマシン１へ送信する。
　　　【００３２】
　ＳＴＢＹモジュール８０は、パワーオンシーケンスが完了してジョブの実行ができる待機の状態やジョブの実行時間が所定時間を超えた待機の状態あるいはジョブの設定入力などのときに呼び出され、前記機能を実行するためのモジュール（ＦＬＴ８２，ＥＤＩＴ９４等）を起動する。
　ＰＷＲモジュール８７は、電源ＯＮからコピー動作ができる状態に至る間の初期化処理、たとえばＭＡＩＮ系４０から送られてくるベースマシン（Ｍ／Ｃ）１の状態情報を受信し記憶する等を行っている。
　　　【００３３】
　ＤＩＡＧモジュール８９は、ＤＩＡＧモードにおけるＬＣＤ３６の表示制御において、オペレーションにより決定されるテストモードをＭＡＩＮ系４０へ送信したり、ＭＡＩＮ系４０より受信されるテスト結果をＬＣＤ３６に表示制御を行う。ＦＬＴモジュール８２は、ベースマシン１のジャム箇所のコード表示やベースマシン１の絵のＬＣＤ３６への表示を行う。
　ＬＣＤモジュール８１はＬＣＤ３６の表示制御を行い、ＬＣＤＬＩＢはＬＣＤ３６の表示制御のライブラリーである。
　ＡＵＴＯモジュール９０はＡＰＳ（Ａｕｔｏ　Ｐａｐｅｒ　Ｓｉｚｅ）／ＡＭＳ（Ａｕｔｏ　ｍａｇｎｉｆｉｃａｔｉｏｎ　Ｓｉｚｅ）および関連ボタンの受付け表示を行う。
　ＩＮＰＶモジュール９１は文章変更時の変数の大入、カウントの表示を行う。
　ＳＵＢＲモジュール８５は各モジュールで使えるサブルーチンの集まりである。
　　　【００３４】
　次にコンソールパネル４上のハードキー３５およびタッチパネルキー６１の各操作ボタンの説明をする。コンソールパネル４には図５に示すようにスタート、ストップ、クリア、テンキー、オールクリア、トレイ選択、固定倍率、任意倍率、割り込み、ちょっと小さめ、設定確認および予熱の各ハードボタンが設けられている。
　なお、固定倍率ボタンは自動倍率ボタンを兼ね、イメージサイズまたは自動倍率を選択するときに使用される。また、ちょっと小さめボタンは選択した固定倍率（自動倍率の場合は、任意倍率）に対して、例えば０．９３倍の縮倍率でコピーをとるときに使用される。また、設定確認ボタン３５１はそれまでに設定された機能を表示したいときに使用される。
　　　【００３５】
　次にタッチパネル９５とＬＣＤ３６の機能について説明する。
　ＬＣＤ３６は図１１（ａ）に示すように３２０×２００ｄｏｔ（１ｄｏｔ＝０．３３×０．３３ｍｍ）ＬＣＤの画素を有し、このＬＣＤ３６上にはタッチパネル９５が配置されており図１１（ｂ）に示すように、１０×７Ｔｉｌｅ（１Ｔｉｌｅ＝３２×２４ｄｏｔ）のタッチパネルキー６１により構成されている。そこで、ＬＣＤ３６に表示される各種機能に対応したボタン表示位置を押すことにより、その機能に対応したタッチパネルキー６１が作動する。
　また、タッチパネルキー６１は主に使用頻度を基準に基本、応用、専門ボタンに分けられる。
　　　【００３６】
　次にタッチパネル９５の操作の概要について図１２のフローチャートに従って説明する。
　機能の選択／解除は、ＬＣＤ３６上に表示された機能に対応するボタンを押すことで行う。
　パラメータのある機能については機能ボタンを押すと（ステップ１０１）、ブザー７２が一定時間鳴って注意を喚起する（ステップ１０２）。そしてポップアップウインドを開く（ステップ１０３）。基本、応用、専門ボタンのいずれかを押し（ステップ１０４）、必要があればパラメータの指定を行う。このとき、パラメータの指定が終了していないと警告メッセージがＬＣＤ３６上に表示される（ステップ１０９）。指定したパラメータでよければ、終了ボタンを押すとポップアップウインドは閉じ（ステップ１０６）、選択した機能ボタンの色が反転表示され（ステップ１０７）、機能選択状態となる（ステップ１０８）。また、ステップ１０３の状態でパラメータの指定を行う場合は、まず、パラメータの指定（ステップ１１０）の後、よければ終了ボタンを押すと（ステップ１１１）、ポップアップウインドは閉じ（ステップ１１２）、選択された機能ボタンの色を反転させ（ステップ１１３）、機能選択状態となる（ステップ１１４）。また、ステップ１０３またはステップ１１０の段階で取消しボタンを押すと（ステップ１１５）、ポップアップウインドが閉じ（ステップ１１６）、選択した機能ボタンの表示色の反転をさせないで（ステップ１１７）、機能選択を行わなかった状態にする（ステップ１１８）。
　　　【００３７】
　また、パラメータのない機能を選択する場合は、まず、機能ボタンを押すと一定時間ブザー７２が鳴り、機能を選択する（終了ボタンを押す。）と、ボタン表示は反転し（ステップ１２２）、機能選択状態となる（ステップ１２３）。また、機能選択状態ではない（取消しボタンを押す。）と、ボタン表示はそのまま（ステップ１２４）であり、機能解除状態となる（ステップ１２５）。
　　　【００３８】
　設定されるコピー機能は図１３、図１４、図１５に示すような機能とそれぞれのパラメータからなるツリー構造を有し、主に使用頻度に基づき基本、応用、専門機能に分けられている。そして、パラメータのある機能は図１３、図１４、図１５に示すように階層化されているポップアップ画面で選択／解除がされる。
　　　【００３９】
　機能選択ボタンとしての基本ボタン２０１（図１６）はオペレータが、基本コピーに必要な機能を選択するためのボタンである。基本ボタン２０１が押されると図１６に示す基本画面が表示される。基本画面にはコピー濃度調整、ソーター、両面およびユーザー設定（仕様設定で設定なしを指示している時は表示しない。）の各機能に対応したボタンが設けられている。この基本画面は電源投入時、オールクリアボタンが押された後、オートクリア動作後、予熱モード復帰後、割り込み復帰後、設定確認モード復帰後、仕様設定終了後は自動的に表示される。また、応用画面／専門画面表示中に基本ボタン２０１が押された場合、基本画面を表示する。応用画面／専門画面表示中は基本ボタン２０１の機能が選択されていることを示すために、“基本”文字は暗色に反転表示される。
　　　【００４０】
　応用ボタン２０２が押されると図１７に示す応用画面が表示される。応用画面には示す表示ボタンの内、単色カラー、とじしろ、わく消し、ページ連写、ＯＨＰ合紙、応用原稿送りの各機能に対応したボタンが設けられている。
　応用画面にて機能を選択した後に専門／基本画面を表示した場合は“応用”文字は暗色に反転表示される。なお、単色カラーボタンの上のトナー色表示は、サブ現像器１１が装着されていない場合は表示しない。
　　　【００４１】
　専門ボタン２０３が押されると図１８に示す専門画面が表示される。専門画面には合成、寸法変倍、ジョブメモリおよび仕様設定の各機能に対応したボタンがそれぞれ設けられている。専門画面にて機能を選択した後に応用／基本画面を表示した場合は“専門”文字は暗色に反転表示される。
　　　【００４２】
　次に主な機能ボタンについて説明する。
　図１６に示す自動濃度調整ボタン２０５はオペレータが、自動濃度調整機能を選択／解除するために押すボタンである。
　また、ユーザーが頻繁に使用する機能の選択を容易にするために、ユーザーが仕様設定で設定したボタンを基本画面で表示することができる。これをユーザー設定ボタン２０６と呼び、仕様設定機能により、設定された機能のボタンとして動作する。
　また、ソーターボタン２０７はオペレータがソーター３を使用する時に押すボタンである。選択できる機能は丁合いとスタックの二つのうち一つで、いずれかが選択された場合、ステイプラソーター付き機械の場合、自動ホチキス止め機能を選択できる。
　また、両面ボタン２０９は片面原稿、両面原稿から両面コピーを取りたい時、または両面原稿から片面コピーを取りたい時に押すボタンである。選択できる機能は片面原稿→両面コピー、両面原稿→片面コピーおよび両面原稿→両面コピーの三つうちの一つである。
　　　【００４３】
　図１７に示されるとじしろボタン２１０は右とじしろまたは左とじしろが選択できる。いずれかのボタンが押された場合は、表とじしろ／裏とじしろ量の入力状態となる。とじしろ量は０〜数十ｍｍの範囲で設定できる。また、とじしろ量の初期値は仕様設定でも設定できる。
　わく消しボタン２１１は、上下わく消し、左右わく消しまたは中消し機能が選択可能である。
　ページ連写ボタン２１２は見開きでＢ４版（またはＡ３版）の本などを、一度スタートボタンを押すだけで、片ページずつの二分割コピーをとるために押すボタンである。
　ＯＨＰ合紙ボタン２１４とは、ＯＨＰコピー時に自動的に白紙を挿入する時に押す特殊機能ボタンである。
　応用原稿送りボタン２１５は、オペレータが、ＤＡＤＦ２を特殊な仕様で使用する場合の機能選択のために押すボタンである。２イン１指定ではＤＡＤＦ２上にセットされた原稿二枚分をプラテンガラス上に並列にセットする。また、ミックスサイズ指定では、サイズの異なる原稿を連続して搬送することを可能とする。
　　　【００４４】
　図１８の合成ボタン２１６はオペレータが合成コピーを取りたい時押すボタンである。
　寸法変倍ボタン２１７は、オペレータが希望の倍率（大きさ）にコピーしたい時に自動的に倍率を計算させるために押すボタンである。
　　　【００４５】
　ジョブメモリボタン２１８はオペレータがコンソールパネル４およびタッチパネル９５上の設定を初期状態として機械に記憶させ、これを必要に応じて呼び出すボタンである。
　仕様設定ボタン２１９は、オペレータが初期値の設定、機能の設定／解除等をする時に押すボタンである。
　　　【００４６】
　本実施例の特徴部分を以下説明する。
　まず、割り込みモードヘの入り方を説明する。
　複写動作中においては割り込みボタン３５２（図５）を押すと割り込み表示ランプ３７２が点滅し、複写動作の途中で以下に述べる手順で割り込み動作に入る。割り込み動作に入ると割り込み表示ランプ３７２は点灯する。
　　　【００４７】
　まず、通常は割り込みボタン３５２を押した時に複写処理が進行している用紙２７を排出して終了し、停止する。
　　　【００４８】
　また、以下の場合は例外的な停止を行う。
　ａ）ＤＡＤＦ２使用中
　原稿のＳｉｍｐｌｅｘモード：ＤＡＤＦ２にプレフィードした原稿つまり複写中の原稿の次の原稿がＤＡＤＦ２に既に給紙された原稿までの設定枚数の複写を完了して原稿を排出して終了する。
　原稿のＤｕｐｌｅｘ（両面原稿のコピー）モード：用紙２７の第一面目、第二面目の設定枚数の複写を完了し、原稿がＤＡＤＦ２から排出して終了する。
　　　【００４９】
　ｂ）ページ連写、連写合成、連写カラー合成コピー中
　原稿の第二面目まで設定枚数の複写を完了して停止する。
　また、割り込みボタン３５２が押され、それまでの複写動作が自動的に停止する途中でノットレディ条件（例えば、供給トレイ２５に用紙なし）／フォールト（例えば、ジャム発生）条件が発生すると、割り込み要求はキャンセルされる。
　　　【００５０】
　ベースマシン１停止中、例えばベースマシン１のパワーオン後であってマシン１は複写可能な状態であるにもかかわらず、複写用スタートボタン３５３が押されていないときまたは複数枚の複写をする設定をしたにもかかわらず未だ複写スタートボタン３５３が押されていないときに割り込みボタン３５２を押すと、ベースマシン１は割り込み表示ランプ３７２を点灯して、割り込みに入ることができる。
　　　【００５１】
　次に割り込みモードに入った後のベースマシン１の動作を説明する。
　コンソールパネル４はデフォルトモードに設定される。また、割り込み中のオールクリアでデフォルトモードとなる。とりたい複写枚数およびモードを設定して複写が可能となる。ただし、以下の制限がある。
　割り込み前にソータ３の丁合・スタック機能が選択されていた場合は割り込みにより、その同じ機能は選択できない。また、割り込み前に中間トレイ３３を使用する機能が選択されていた場合は、その機能は選択できない。これらの機能は用紙供給トレイ２５からの用紙２７の搬送が特殊であるので割り込み機能を禁止している。
　さらに、オールクリア、オートパワーセーブ（一定時間経過すると自動的に熱定着器の電力消費量を減らす機能）、およびオートパワーオフ（一定時間経過すると自動的にマシンがパワーオフする機能）は割り込みにより選択できない。
　また、ＤＡＤＦ２に割り込み前の原稿が残っている場合は割り込みするユーザはプラテンコピーしかできない。
　　　【００５２】
　割り込みの解除は割り込み動作中に割り込みボタン３５２を押すと、いままで点灯していた割り込み表示ランプ３７２が点滅をはじめ、割り込み動作の終了と共に自動的に割り込みが解除されて、割り込み表示ランプ３７２が消灯する。
　割り込みの複写動作中に二度目の割り込みボタン３５２を押すと割り込み表示ランプ３７２は点滅して、割り込み複写動作は前記割り込みへの入り方と同様の手順で、その割り込み複写動作は自動的に停止し、割り込みは解除され、割り込み表示ランプ３７２は消灯する。ベースマシン１停止中に割り込みボタン３５２を押すと、割り込みを解除する。なお、割り込み解除時の状態は割り込み前のモード状態表示に戻る。
　　　【００５３】
　上記割り込み予約／割り込み中／割り込み解除の従来技術と比較した動作タイミングチャートを図１９に示す。
　また、本実施例のフローチャートを図２０、図２１に示す。複写動作が始まって、割り込みボタン３５２が押されると複写動作中であれば、割り込みボタン３５２のＬＥＤは点滅表示され１ステップ４）、現在の複写動作の終了とともに割り込みボタン３５２のＬＥＤ表示は点灯表示に変わり（ステップ６）、割り込み複写ができる。
　再度割り込みボタン３５２が押されると割り込み複写中なら割り込み解除予約のための割り込みボタン３５２ＬＥＤの点滅表示がはじまる（ステップ１０）。割り込み複写が終了すると割り込みボタン３５２ＬＥＤは消灯し、ベースマシン１は割り込み動作前の状態に戻る（ステップ１３）。
　　　【００５４】
　本発明の通常のジョブモード設定手段は本実施例では図５のコンソールパネル４上のハードキー３５、タッチパネルキー６１からなるボタンおよび各ボタンが押されることにより作動するジョブモード設定用のプログラムに相当し、本発明の割り込みモード設定手段と割り込みモード解除設定手段は本実施例の割り込みボタン３５２と割り込みモード設定用のプログラムに相当し、本発明の前記設定手段で設定された各モードの記憶手段は本実施例では図８に示すＲＡＭ６４に相当し、本発明のジョブモード判断手段は本実施例ではジョブモードが停止中か通常のジョブモードか割り込みモードかを判断するプログラムであり、本発明の表示手段は本実施例では割り込みボタン３５２のＬＥＤおよびそれを点灯、消灯または点滅させるためのプログラムである。
　　　【００５５】
　　【発明の効果】
　本発明によれば、割り込み機能の予約中と割り込み機能の動作中の区別および割り込み機能の動作中と割り込み解除予約中の区別が簡単な表示手段の点灯方法の違いでできるのでユーザーの操作性が改善される。
【図面の簡単な説明】
　　【図１】
　本発明の構成図である。
　　【図２】
　本発明の構成図である。
　　【図３】
　本発明の実施例の複写機の外観図である。
　　【図４】
　本発明の実施例の複写機の断面図である。
　　【図５】
　本発明の実施例の複写機のコンソールパネルの図である。
　　【図６】
　本発明の実施例の複写機の制御ブロック図である。
　　【図７】
　本発明の実施例の複写機のユーザーインタフェースのハードウエア構成図である。
　　【図８】
　本発明の実施例の複写機のユーザーインタフェース制御部の回路構成図である。
　　【図９】
　本発明の実施例の複写機のユーザーインタフェース制御部の回路構成図である。
　　【図１０】
　本発明の実施例の複写機のユーザーインタフェースサブシステムのモジュール構成図である。
　　【図１１】
　本発明の実施例のコンソールのタッチパネル／ＬＣＤの構成図である。
　　【図１２】
　本発明の実施例のタッチパネルの操作フローチャートである。
　　【図１３】
　本発明の実施例のＬＣＤ画面を参照しながらタッチパネルによって設定できる機能とそのパラメータからなるツリー構造図である。
　　【図１４】
　本発明の実施例のＬＣＤ画面を参照しながらタッチパネルによって設定できる機能とそのパラメータからなるツリー構造図である。
　　【図１５】
　本発明の実施例のＬＣＤ画面を参照しながらタッチパネルによって設定できる機能とそのパラメータからなるツリー構造図である。
　　【図１６】
　本発明の実施例のＬＣＤの基本画面である。
　　【図１７】
　本発明の実施例のＬＣＤの応用画面である。
　　【図１８】
　本発明の実施例のＬＣＤの専門画面である。
　　【図１９】
　本実施例の動作タイミングチャートである。
　　【図２０】
　本発明の実施例の動作フローチャートである。
　　【図２１】
　本発明の実施例の動作フローチャートである。
　　【符号の説明】
　１　ベースマシン
　３６　ＬＣＤ画面
　３５２　割り込みボタン
　３７２　割り込み表示ランプ